(57)【要約】【課題】消費電力量を削減する。【解決手段】コントローラ装置２１，エンジン装置２２，及び周辺装置２３がそれぞれ分散して並列的にシステム終了処理を実行し、自身のシステム終了処理が完了したタイミングで自身への電力供給を自ら停止する。これにより、電源スイッチ１３がオフされた際に実行している動作が完了するまでの間、その動作に関係がない装置にも電力が供給され続けることを抑制できるので、電力が無駄に消費されることを防止できる。【選択図】図１
2011053667.tif 000002
【特許請求の範囲】
【請求項１】
閉状態であるときに商用電源から装置に電力を供給する第１の電力供給経路と、
前記第１の電力供給経路の開閉状態を検出する検出手段と、
少なくとも、前記検出手段により前記第１の電力供給経路の開状態が検出された際、前記商用電源から装置に電力を供給する供給する第２の電力供給経路と、
前記第１の電力供給経路又は前記第２の電力供給経路を介して供給された電力に基づく電圧を、それぞれ所定の駆動電圧に変換する複数の駆動電圧生成手段と、
前記複数の駆動電圧生成手段のうち、対応する駆動電圧生成手段の変換した駆動電圧がそれぞれ供給される複数のシステムと、
を備え、
各システムは、
前記検出手段により前記第１の電力供給経路の開状態が検出された際、前記第２の電力供給経路及び対応する駆動電圧生成手段を介して供給される駆動電圧を利用して、システム終了処理を実行する実行手段と、
前記実行手段が前記システム終了処理の実行を完了したタイミングで、対応する駆動電圧生成手段の動作を停止させる停止手段と、を有し、
前記第２の電力供給経路は、全ての駆動電圧生成手段の動作が停止されるのに応じて、前記電力の供給を停止すること
を特徴とする画像形成装置。
【請求項２】
前記第１の電力供給経路を開閉する第１の経路開閉手段と、
前記第２の電力供給経路を開閉する第２の経路開閉手段と、
を備えたことを特徴とする請求項１に記載の画像形成装置。
【請求項３】
前記第２の経路開閉手段は、前記複数の駆動電圧生成手段の少なくとも１つが動作しているときに前記第２の電力供給経路を閉状態とすること
を特徴とする請求項２に記載の画像形成装置。
【請求項４】
前記第２の経路開閉手段は、前記検出手段により前記第１の電力供給経路の開が検出されると前記第２の電力供給経路を閉状態とすること
を特徴とする請求項２に記載の画像形成装置。
【請求項５】
各システムの終了処理の実行状態を表示する表示手段を備えること
を特徴とする請求項１に記載の画像形成装置。
【請求項６】
前記表示手段は、前記複数の駆動電圧生成手段に接続され、当該複数の駆動電圧生成手段のうちの少なくとも１つが動作しているときに発光する発光手段であること
を特徴とする請求項５に記載の画像形成装置。
【請求項７】
前記表示手段は、操作入力を受け付けると共に装置の動作状況を表示する操作表示手段であること
を特徴とする請求項５に記載の画像形成装置。
【請求項８】
前記第２の電力供給経路は、前記検出手段により前記第１の電力供給経路の開状態が検出された際、前記操作表示手段に対応する駆動電圧生成手段に電力を供給し、全ての駆動電圧生成手段の動作が停止されたタイミングで前記操作表示手段に対応する駆動電圧生成手段への電力の供給を停止すること
を特徴とする請求項７に記載の画像形成装置。
【請求項９】
前記システム終了処理の実行の要否を、各システム毎に設定する設定手段を備え、各システムの停止手段は、前記設定手段によりシステム終了処理の実行が不要に設定されている場合、前記検出手段により前記第１の電力供給経路の開状態が検出されたタイミングで、対応する駆動電圧生成手段の動作を停止させること
を特徴とする請求項１記載の画像形成装置。
【請求項１０】
前記システム終了処理の実行の要否が、ユーザにより設定可能であることを特徴とする請求項９に記載の画像形成装置。
【請求項１１】
前記システム終了処理は、前記検出手段により前記第１の電力供給経路の開状態が検出された際にシステムが実行している動作を完了させる処理とシステム全体のシャットダウン処理とを含むこと
を特徴とする請求項１に記載の画像形成装置。
【請求項１２】
前記システムが実行している動作は、画像調整動作、用紙搬送動作、画像形成動作、及び後処理動作のうちの少なくとも１つを含むこと
を特徴とする請求項１１に記載の画像形成装置。
【請求項１３】
前記複数の駆動電圧生成手段がそれぞれ生成する所定の駆動電圧は、それぞれの駆動電圧生成手段に対応するシステムに適した駆動電圧であること
を特徴とする請求項１記載の画像形成装置。
【請求項１４】
閉状態であるときに商用電源から装置に電力を供給する第１の電力供給経路と、前記第１の電力供給経路の開閉状態を検出する検出手段と、少なくとも、前記検出手段により前記第１の電力供給経路の開状態が検出された際、前記商用電源から装置に電力を供給する供給する第２の電力供給経路と、前記第１の電力供給経路又は前記第２の電力供給経路を介して供給された電力に基づく電圧を、それぞれ所定の駆動電圧に変換する複数の駆動電圧生成手段と、前記複数の駆動電圧生成手段のうち、対応する駆動電圧生成手段の変換した駆動電圧がそれぞれ供給される複数のシステムと、を備える画像形成装置の制御方法であって、
各システムが、前記検出手段により前記第１の電力供給経路の開状態が検出された際、前記第２の電力供給経路及び対応する駆動電圧生成手段を介して供給される駆動電圧を利用して、システム終了処理を実行する工程と、
各システムが、前記システム終了処理の実行を完了したタイミングで、対応する駆動電圧生成手段の動作を停止させる工程と、
前記第２の電力供給経路が、全ての駆動電圧生成手段の動作が停止されるのに応じて、前記電力の供給を停止する工程と、
を含むことを特徴とする画像形成装置の制御方法。
【請求項１５】
閉状態であるときに商用電源から装置に電力を供給する第１の電力供給経路と、前記第１の電力供給経路の開閉状態を検出する検出手段と、少なくとも、前記検出手段により前記第１の電力供給経路の開状態が検出された際、前記商用電源から装置に電力を供給する供給する第２の電力供給経路と、前記第１の電力供給経路又は前記第２の電力供給経路を介して供給された電力に基づく電圧を、それぞれ所定の駆動電圧に変換する複数の駆動電圧生成手段と、前記複数の駆動電圧生成手段のうち、対応する駆動電圧生成手段の変換した駆動電圧がそれぞれ供給される複数のシステムと、を備える画像形成装置の制御プログラムであって、
各システムが、前記検出手段により前記第１の電力供給経路の開状態が検出された際、前記第２の電力供給経路及び対応する駆動電圧生成手段を介して供給される駆動電圧を利用して、システム終了処理を実行する機能と、
各システムが、前記システム終了処理の実行を完了したタイミングで、対応する駆動電圧生成手段の動作を停止させる機能と、
前記第２の電力供給経路が、全ての駆動電圧生成手段の動作が停止されるのに応じて、前記電力の供給を停止する機能と、
をコンピュータに実現させることを特徴とする画像形成装置の制御プログラム。
【請求項１６】
閉状態であるときに商用電源から装置に電力を供給する第１の電力供給経路と、前記第１の電力供給経路の開閉状態を検出する検出手段と、少なくとも、前記検出手段により前記第１の電力供給経路の開状態が検出された際、前記商用電源から装置に電力を供給する第２の電力供給経路と、前記第１の電力供給経路又は前記第２の電力供給経路を介して供給された電力に基づく電圧を、それぞれ所定の駆動電圧に変換する複数の駆動電圧生成手段と、前記複数の駆動電圧生成手段のうち、対応する駆動電圧生成手段の変換した駆動電圧がそれぞれ供給される複数のシステムと、を備える画像形成装置の制御プログラムを記録したコンピュータ読み取り可能な記録媒体であって、
各システムが、前記検出手段により前記第１の電力供給経路の開状態が検出された際、前記第２の電力供給経路及び対応する駆動電圧生成手段を介して供給される駆動電圧を利用して、システム終了処理を実行する機能と、
各システムが、前記システム終了処理の実行を完了したタイミングで、対応する駆動電圧生成手段の動作を停止させる機能と、
前記第２の電力供給経路が、全ての駆動電圧生成手段の動作が停止されるのに応じて、前記電力の供給を停止する機能と、
をコンピュータに実現させることを特徴とする画像形成装置の制御プログラムを記録したコンピュータ読み取り可能な記録媒体。
【発明の詳細な説明】
【技術分野】
【０００１】
本発明は、画像形成装置、画像形成装置の制御方法、画像形成装置の制御プログラム、及び画像形成装置の制御プログラムを記録したコンピュータ読み取り可能な記録媒体に関する。
【背景技術】
【０００２】
従来より、未使用時の消費電力量を削減するために、省電力モード（いわゆるスリープモード）を動作モードの１つとして備える画像形成装置が提供されている。省電力モードを備える画像形成装置は、操作入力が所定時間検出されなかった時に装置の動作を停止させることにより、未使用時の消費電力量を削減する。しかしながら動作モードが省電力モードである場合であっても、画像形成装置は電力をわずかながら消費する。このような背景から、未使用時の消費電力量をさらに削減すると共に装置の安全性を向上させるために、装置の電源スイッチをオフすることにより電源と装置間の接続を遮断することが行われている。
【０００３】
ところが、例えばハードディスク装置が搭載されている画像形成装置においては、電源スイッチのオフに応じて電源と装置間の接続を遮断した場合、以下のような不具合が生じる可能性がある。すなわち、ハードディスク装置にアクセスしている際に電源と装置間の接続が遮断された場合には、データの消失や破壊、重要なデータの書き込み処理が正常に行われない等の不具合が生じる可能性がある。このような背景から、近年、シャットダウン機能を備える画像形成装置が提供されている（特許文献１参照）。シャットダウン機能を備える画像形成装置は、電源スイッチがオフされた際、電源と装置間の接続をすぐに遮断するのではなく、電源スイッチがオフされた際に実行している動作が完了した段階で電源と装置間の接続を遮断する。
【発明の概要】
【発明が解決しようとする課題】
【０００４】
上述の通り、シャットダウン機能を備える画像形成装置は、電源スイッチがオフされた際に実行している動作が完了した段階で電源と装置間の接続を遮断する構成になっている。このためシャットダウン機能を備える画像形成装置によれば、電源スイッチがオフされた際に実行している動作が完了するまでの間、その動作に関係がないデバイスにも電力が供給され続けるために、電力が無駄に消費されてしまう。
【０００５】
本発明は、上記課題に鑑みてなされたものであって、その目的は、消費電力量をより削減可能な画像形成装置、画像形成装置の制御方法、画像形成装置の制御プログラム、及び画像形成装置の制御プログラムを記録したコンピュータ読み取り可能な記録媒体を提供することにある。
【課題を解決するための手段】
【０００６】
上記課題を解決し、目的を達成するために、本発明は、閉状態であるときに商用電源から装置に電力を供給する第１の電力供給経路と、前記第１の電力供給経路の開閉状態を検出する検出手段と、少なくとも、前記検出手段により前記第１の電力供給経路の開状態が検出された際、前記商用電源から装置に電力を供給する供給する第２の電力供給経路と、前記第１の電力供給経路又は前記第２の電力供給経路を介して供給された電力に基づく電圧を、それぞれ所定の駆動電圧に変換する複数の駆動電圧生成手段と、前記複数の駆動電圧生成手段のうち、対応する駆動電圧生成手段の変換した駆動電圧がそれぞれ供給される複数のシステムと、を備え、各システムは、前記検出手段により前記第１の電力供給経路の開状態が検出された際、前記第２の電力供給経路及び対応する駆動電圧生成手段を介して供給される駆動電圧を利用して、システム終了処理を実行する実行手段と、前記実行手段が前記システム終了処理の実行を完了したタイミングで、対応する駆動電圧生成手段の動作を停止させる停止手段とを有し、前記第２の電力供給経路は、全ての駆動電圧生成手段の動作が停止されるのに応じて、前記電力の供給を停止する画像形成装置を提供する。
【０００７】
上記課題を解決し、目的を達成するために、本発明は、閉状態であるときに商用電源から装置に電力を供給する第１の電力供給経路と、前記第１の電力供給経路の開閉状態を検出する検出手段と、少なくとも、前記検出手段により前記第１の電力供給経路の開状態が検出された際、前記商用電源から装置に電力を供給する供給する第２の電力供給経路と、前記第１の電力供給経路又は前記第２の電力供給経路を介して供給された電力に基づく電圧を、それぞれ所定の駆動電圧に変換する複数の駆動電圧生成手段と、前記複数の駆動電圧生成手段のうち、対応する駆動電圧生成手段の変換した駆動電圧がそれぞれ供給される複数のシステムと、を備える画像形成装置の制御方法であって、各システムが、前記検出手段により前記第１の電力供給経路の開状態が検出された際、前記第２の電力供給経路及び対応する駆動電圧生成手段を介して供給される駆動電圧を利用して、システム終了処理を実行する工程と、各システムが、前記システム終了処理の実行を完了したタイミングで、対応する駆動電圧生成手段の動作を停止させる工程と、前記第２の電力供給経路が、全ての駆動電圧生成手段の動作が停止されるのに応じて、前記電力の供給を停止する工程と、を含む画像形成装置の制御方法を提供する。
【０００８】
上記課題を解決し、目的を達成するために、本発明は、閉状態であるときに商用電源から装置に電力を供給する第１の電力供給経路と、前記第１の電力供給経路の開閉状態を検出する検出手段と、少なくとも、前記検出手段により前記第１の電力供給経路の開状態が検出された際、前記商用電源から装置に電力を供給する供給する第２の電力供給経路と、前記第１の電力供給経路又は前記第２の電力供給経路を介して供給された電力に基づく電圧を、それぞれ所定の駆動電圧に変換する複数の駆動電圧生成手段と、前記複数の駆動電圧生成手段のうち、対応する駆動電圧生成手段の変換した駆動電圧がそれぞれ供給される複数のシステムと、を備える画像形成装置の制御プログラムであって、各システムが、前記検出手段により前記第１の電力供給経路の開状態が検出された際、前記第２の電力供給経路及び対応する駆動電圧生成手段を介して供給される駆動電圧を利用して、システム終了処理を実行する機能と、各システムが、前記システム終了処理の実行を完了したタイミングで、対応する駆動電圧生成手段の動作を停止させる機能と、前記第２の電力供給経路が、全ての駆動電圧生成手段の動作が停止されるのに応じて、前記電力の供給を停止する機能と、をコンピュータに実現させる画像形成装置の制御プログラムを提供する。
【０００９】
上記課題を解決し、目的を達成するために、本発明は、閉状態であるときに商用電源から装置に電力を供給する第１の電力供給経路と、前記第１の電力供給経路の開閉状態を検出する検出手段と、少なくとも、前記検出手段により前記第１の電力供給経路の開状態が検出された際、前記商用電源から装置に電力を供給する第２の電力供給経路と、前記第１の電力供給経路又は前記第２の電力供給経路を介して供給された電力に基づく電圧を、それぞれ所定の駆動電圧に変換する複数の駆動電圧生成手段と、前記複数の駆動電圧生成手段のうち、対応する駆動電圧生成手段の変換した駆動電圧がそれぞれ供給される複数のシステムと、を備える画像形成装置の制御プログラムを記録したコンピュータ読み取り可能な記録媒体であって、各システムが、前記検出手段により前記第１の電力供給経路の開状態が検出された際、前記第２の電力供給経路及び対応する駆動電圧生成手段を介して供給される駆動電圧を利用して、システム終了処理を実行する機能と、各システムが、前記システム終了処理の実行を完了したタイミングで、対応する駆動電圧生成手段の動作を停止させる機能と、前記第２の電力供給経路が、全ての駆動電圧生成手段の動作が停止されるのに応じて、前記電力の供給を停止する機能と、をコンピュータに実現させる画像形成装置の制御プログラムを記録したコンピュータ読み取り可能な記録媒体を提供する。
【発明の効果】
【００１０】
本発明によれば、各システムが独立して自身への電力供給を制御するので、工程消費電力量をより削減することができる。
【図面の簡単な説明】
【００１１】
【図１】図１は、本発明の第１の実施形態となる画像形成装置の構成を示すブロック図である。
【図２】図２は、図１に示すコントローラ装置におけるシャットダウン処理の流れを示すフローチャート図である。
【図３】図３は、図１に示すエンジン装置におけるシャットダウン処理の流れを示すフローチャート図である。
【図４】図４は、図１に示す周辺装置におけるシャットダウン処理の流れを示すフローチャート図である。
【図５】図５は、図１に示す画像形成装置のシャットダウン処理の流れの一例を示すタイミングチャート図である。
【図６】図６は、本発明の第２の実施形態となる画像形成装置の構成を示すブロック図である。
【図７】図７は、本発明の第３の実施形態となる画像形成装置の構成を示すブロック図である。
【図８】図８は、本発明の第４の実施形態となる画像形成装置の構成を示すブロック図である。
【図９】図９は、本発明の第５の実施形態となる画像形成装置内のコントローラ装置におけるシャットダウン処理の流れを示すフローチャート図である。
【図１０】図１０は、本発明の第５の実施形態となる画像形成装置内のエンジン装置におけるシャットダウン処理の流れを示すフローチャート図である。
【図１１】図１１は、本発明の第５の実施形態となる画像形成装置内の周辺装置におけるシャットダウン処理の流れを示すフローチャート図である。
【図１２】図１２は、本発明の第５の実施形態となる画像形成装置のシャットダウン処理の流れの一例を示すタイミングチャート図である。
【発明を実施するための形態】
【００１２】
以下、図面を参照して、本発明の実施形態となる画像形成装置の構成及びそのシャットダウン動作について説明する。
【００１３】
〔第１の実施形態〕
〔画像形成装置の構成〕
始めに、図１を参照して、本発明の第１の実施形態となる画像形成装置の構成について説明する。
【００１４】
本発明の第１の実施形態となる画像形成装置１は、プリンタ，コピー機，スキャナ，ファクシミリ，若しくはこれらの機器の機能を１台の筐体で実現する複合機等の公知の画像形成装置により構成されている。この画像形成装置１は、図１に示すように、画像形成装置１への電力供給を制御する電力制御系２と、画像形成装置１全体の動作を制御する本体制御系３を主な構成要素として備える。
【００１５】
電力制御系２は、電源１１、整流平滑化回路１２、電源スイッチ１３、コンバータ１４ａ，１４ｂ，１４ｃ、定電圧生成回路１５ａ，１５ｂ，１５ｃ、リレー回路１６、及びダイオード素子１７ａ，１７ｂ，１７ｃを備える。電源１１，電源スイッチ１３，および整流平滑化回路１２の経路は、第１の電力供給経路４を構成する。また、電源１１，リレー回路１６、および整流平滑化回路１２の経路は、第２の電力供給経路５を構成する。以下、接続がオンであることを経路が閉状態であると言う。また、接続がオフであることを経路が開状態であると言う。
【００１６】
電源１１は、商用電源等の電力供給装置により構成され、本実施形態ではＡＣ（交流）電圧を出力する。整流平滑化回路１２は、電源１１から出力されたＡＣ電圧に対して公知の整流処理及び平滑化処理を行うことによりＤＣ（直流）電圧を生成する。コンバータ１４ａ，１４ｂ，１４ｃはそれぞれ、コントローラ装置２１，エンジン装置２２，及び周辺装置２３からのオン／オフ制御信号に従って、整流平滑化回路１２から出力されたＤＣ電圧を本体制御系３のコントローラ装置２１，エンジン装置２２，及び周辺装置２３の駆動に適した電圧に変換して出力する。
【００１７】
電源スイッチ１３は、電源１１と整流平滑化回路１２間の接続のオン／オフを切り替える開閉式スイッチであり、ユーザにより操作される。電源スイッチ１３がオン状態の場合に、第１の電力供給経路４は閉状態である。また、電源スイッチ１３がオフ状態の場合に、第１の電力供給経路４は開状態である。電源スイッチ１３は、自己のオン／オフ状態の検出機能を有し、検出されたオン／オフ状態に関する情報（以下、オン／オフ信号と表記）をコントローラ装置２１に出力する。電源スイッチ１３は、第１の電力供給経路４を開閉する第１の経路開閉手段及び検出手段として機能する。検出手段として機能する電源スイッチ１３は、例えば、電源スイッチ１３がオン／オフされることに連動してメカ的に開閉する検出スイッチを備えるような構成とすることができる。この検出スイッチは、５Ｖ電源、グランド、コントローラ装置２１と接続されており、５Ｖ電源がグランドに流れるか否かが、スイッチのオン／オフ信号としてコントローラ装置２１に出力される。なお、必ずしも、電源スイッチ１３が、電源スイッチ１３のオン／オフの検出機能を有する必要はなく、別途、検出手段を設けることにしてもよい。この場合には、例えば、電源スイッチ１３の後段にゼロクロス検出回路等を設けて、電源スイッチ１３のオン／オフ状態を検出することが考えられる。定電圧生成回路１５ａ，１５ｂ，１５ｃはそれぞれ、コンバータ１４ａ，１４ｂ，１４ｃから出力されたＤＣ電圧からリレー回路１６の駆動電圧を生成し、逆起電力防止用のダイオード素子１７ａ，１７ｂ，１７ｃを介して生成された駆動電圧をリレー回路１６に供給する。コンバータ１４ａ，１４ｂ，１４ｃは本発明に係る駆動電圧生成手段として機能する。
【００１８】
リレー回路１６は、電源スイッチ１３に対して並列に配置され、定電圧生成回路１５ａ，１５ｂ，１５ｃから供給された駆動電圧を用いて電源１１と整流平滑化回路１２間の接続のオン／オフを切り替える。リレー回路１６がオン状態の場合に、第２の電力供給経路５は閉状態である。また、リレー回路１６がオフ状態の場合に、第２の電力供給経路５は開状態である。リレー回路１６は、第２の電力供給経路５を開閉する第２の経路開閉手段として機能する。本実施形態では、リレー回路１６は、ノーマルオープン接点タイプのリレー回路により構成されている。すなわち、コンバータ１４ａ，１４ｂ，１４ｃのうちの少なくとも１つの出力がオン状態である時は、リレー回路１６は接点クローズ状態（接続状態）となり、電源１１と整流平滑化回路１２は接続される。一方、コンバータ１４ａ，１４ｂ，１４ｃの全ての出力がオフ状態である時には、リレー回路１６は接点オープン状態（遮断状態）となり、電源１１と整流平滑化回路１２間の接続は遮断される。この画像形成装置１では、電源スイッチ１３がオフ状態、且つ、リレー回路１６が接点オープン状態である際に、電源１１と本体制御系３間の接続が完全に遮断される。
【００１９】
本体制御系３は、コントローラ装置２１，エンジン装置２２，及び周辺装置２３を備える。コントローラ装置２１，エンジン装置２２，及び周辺装置２３は互いに独立して分散制御可能なように構成され、各装置間は電気配線及びインタフェイス回路を介して相互に情報通信可能なように構成されている。コントローラ装置２１，エンジン装置２２，及び周辺装置２３はそれぞれ本発明に係るシステムに対応する。
【００２０】
コントローラ装置２１は、HDD(Hard  Disk  Drive)３１，LAN＿I/F(Local  Area  Network＿Interface)３２，省エネ監視部３３，及びコントローラ制御部３４を備える。HDD３１は、公知のハードディスク記録装置により構成され、画像データ等の各種電子データを記憶する。LAN＿I/F３２は、画像形成装置１と外部装置間の情報通信を制御する。省エネ監視部３３は、電源スイッチ１３の操作やADF(Auto  Document  Feeder)部５１の動作状態等の装置の動作モードを省エネ動作モードから通常動作モードへと復帰させる復帰イベントを検出する。
【００２１】
コントローラ制御部３４は、ASIC(Application  Specific  Integrated  Circuit)及びそのインタフェイス回路により構成され、LAN＿I/F３２や省エネ監視部３３からの入力信号及び電源スイッチ１３からのオン／オフ信号に従ってコントローラ装置２１全体の動作を制御する。ASICは、CPU(Central  Processing  Unit),  ROM(Read  Only  Memory),  RAM(Random  Access  Memory),  FIFO(First-In  First-Out)メモリ等を含む。ASIC内のROMには制御プログラムが格納されている。ASIC内のCPUは、ROM内に格納されている制御プログラムをRAM内にロードし、RAM内にロードされた制御プログラムを実行することにより、コントローラ装置２１全体の動作を制御する。また本実施形態では、コントローラ制御部３４は、コンバータ１４ａの出力をオン／オフする機能を有する。コントローラ制御部３４は、本発明に係る実行手段及び停止手段として機能する。
【００２２】
ASICのROM内に格納されている制御プログラムは、インストール可能な形式又は実行可能な形式のファイルでCD-ROM，フレキシブルディスク(FD)，CD-R，DVD(Digital  Versatile  Disk)等のコンピュータが読み取り可能な記録媒体に記録して提供するように構成してもよい。またASICのROM内に格納されている制御プログラムは、インターネット等のネットワークに接続されたコンピュータ上に格納し、ネットワーク経由でダウンロードさせることにより提供するように構成してもよい。またASICのROM内に格納されている制御プログラムをインターネット等の電気通信回線を介して提供又は配布するように構成してもよい。
【００２３】
エンジン装置２２は、スキャナ部４１，書込部４２，トナー作像部４３，定着部４４，及びエンジン制御部４５を備える。スキャナ部４１は、コピー原稿のデータを光学的に読み込む装置である。書込部４２は、スキャナ部４１が読み込んだ画像データをドラム上に書き込む装置である。トナー作像部４３は、書込部４２によりドラム上に書き込まれた画像データをトナーで現像して可視化し、トナー像を転写装置に転写する装置である。定着部４４は、転写装置に転写されたトナー像を加熱，加圧しながら定着させ、印刷用紙上に画像を形成する装置である。エンジン制御部４５は、コントローラ制御部３４と同様のASIC及びそのインタフェイス回路により構成され、エンジン装置２２全体の動作を制御する。ASIC内のROMには制御プログラムが格納されている。ASIC内のCPUは、ROM内に格納されている制御プログラムをRAM内にロードし、RAM内にロードされた制御プログラムを実行することにより、エンジン装置２２全体の動作を制御する。また本実施形態では、エンジン制御部４５は、コンバータ１４ｂの出力をオン／オフする機能を有する。エンジン制御部４５は、本発明に係る実行手段及び停止手段として機能する。
【００２４】
周辺装置２３は、ADF(Auto  Document  Feeder)部５１，FIN部（後処理装置）５２，LCT(Large  Capacity  Tray)部５３，及び周辺装置制御部５４を備える。ADF部５１は、スキャナ部４１に原稿を連続給紙する装置である。FIN部５２は、定着部４４から排紙された印刷用紙に対してパンチ，スタック，ソート等の後処理を施す装置である。LCT部５３は、大容量の印刷用紙を給紙可能な装置である。周辺装置制御部５４は、コントローラ制御部３４と同様のASIC及びそのインタフェイス回路により構成され、周辺装置２３全体の動作を制御する。ASIC内のROMには制御プログラムが格納されている。ASIC内のCPUは、ROM内に格納されている制御プログラムをRAM内にロードし、RAM内にロードされた制御プログラムを実行することにより、周辺装置２３全体の動作を制御する。また本実施形態では、周辺装置制御部５４は、コンバータ１４ｃの出力をオン／オフする機能を有する。エンジン制御部４５は、本発明に係る実行手段及び停止手段として機能する。
【００２５】
〔シャットダウン処理〕
このような画像形成装置１では、コントローラ装置２１，エンジン装置２２，及び周辺装置２３が以下に示すシャットダウン処理を並列的に実行することにより、消費電力量を削減する。以下、図２乃至図４に示すフローチャートを参照して、このシャットダウン処理を実行する際のコントローラ装置２１，エンジン装置２２，及び周辺装置２３の動作について説明する。なお図２，図３，図４はそれぞれ、シャットダウン処理を実行する際のコントローラ装置２１，エンジン装置２２，及び周辺装置２３の動作の流れを示すフローチャート図である。
【００２６】
〔コントローラ装置の動作〕
始めに、図２に示すフローチャートを参照して、シャットダウン処理を実行する際のコントローラ装置２１の動作について説明する。
【００２７】
図２に示すフローチャートは、コンバータ１４ａからの電力供給が開始されたタイミングで開始となり、シャットダウン処理はステップＳ１の処理に進む。
【００２８】
ステップＳ１の処理では、コントローラ制御部３４が、電源スイッチ１３から出力されたオン／オフ信号に基づいて、電源スイッチ１３がオン状態からオフ状態に切り替えられたか否かを判別する。そしてコントローラ制御部３４は、電源スイッチ１３がオン状態からオフ状態に切り替えられたと判定したタイミングで、シャットダウン処理をステップＳ２の処理に進める。
【００２９】
ステップＳ２の処理では、コントローラ制御部３４が、電気配線を介してエンジン装置２２に対しシステム終了処理の開始を指示するコマンドを送信する。これにより、ステップＳ２の処理は完了し、シャットダウン処理はステップＳ３の処理に進む。
【００３０】
ステップＳ３の処理では、コントローラ制御部３４が、コントローラ装置２１自体のシステム終了処理を実行する。コントローラ装置２１自体のシステム終了処理には、コントローラ装置２１が現在実行している動作（例えばHDD３１へのアクセス動作等）を完了させる処理と、コントローラ装置２１内の各部の保護動作，システム・キャッシュの書き出し，制御プログラムによって開かれているファイルを閉じる等の基本的なシャットダウン処理が含まれる。これにより、ステップＳ３の処理は完了し、シャットダウン処理はステップＳ４の処理に進む。
【００３１】
ステップＳ４の処理では、コントローラ制御部３４が、システム終了処理が完了したか否かを判定する。そしてコントローラ制御部３４は、システム終了処理が完了したと判定したタイミングで、シャットダウン処理をステップＳ５の処理に進める。
【００３２】
ステップＳ５の処理では、コントローラ制御部３４が、コントローラ装置２１に電力を供給しているコンバータ１４ａの出力をオフすることにより、コントローラ装置２１への電力供給を停止する。これにより、ステップＳ５の処理は完了し、一連のシャットダウン処理は終了する。
【００３３】
〔エンジン装置の動作〕
次に、図３に示すフローチャートを参照して、シャットダウン処理を実行する際のエンジン装置２２の動作について説明する。
【００３４】
図３に示すフローチャートは、コンバータ１４ｂからの電力供給が開始されたタイミングで開始となり、シャットダウン処理はステップＳ１１の処理に進む。
【００３５】
ステップＳ１１の処理では、エンジン制御部４５が、コントローラ制御部３４からシステム終了処理の開始を指示するコマンドを受信したか否かを判定する。そしてエンジン制御部４５は、コントローラ制御部３４からコマンドを受信したタイミングで、シャットダウン処理をステップＳ１２の処理に進める。
【００３６】
ステップＳ１２の処理では、エンジン制御部４５が、電気配線を介して周辺装置２３に対しシステム終了処理の開始を指示するコマンドを送信する。これにより、ステップＳ１２の処理は完了し、シャットダウン処理はステップＳ１３の処理に進む。
【００３７】
ステップＳ１３の処理では、エンジン制御部４５が、エンジン装置２２自体のシステム終了処理を実行する。エンジン装置２２自体のシステム終了処理には、エンジン装置２２が現在実行している動作（例えば画像調整動作等）を完了させる処理と、エンジン装置２２内の各部の保護動作，システム・キャッシュの書き出し，制御プログラムによって開かれているファイルを閉じる等の基本的なシャットダウン処理が含まれる。これにより、ステップＳ１３の処理は完了し、シャットダウン処理はステップＳ１４の処理に進む。
【００３８】
ステップＳ１４の処理では、エンジン制御部４５が、システム終了処理が完了したか否かを判定する。そしてエンジン制御部４５は、システム終了処理が完了したと判定したタイミングで、シャットダウン処理をステップＳ１５の処理に進める。
【００３９】
ステップＳ１５の処理では、エンジン制御部４５が、エンジン装置２２に電力を供給しているコンバータ１４ｂの出力をオフすることにより、エンジン装置２２への電力供給を停止する。これにより、ステップＳ１５の処理は完了し、一連のシャットダウン処理は終了する。
【００４０】
〔周辺装置の動作〕
最後に、図４に示すフローチャートを参照して、シャットダウン処理を実行する際の周辺装置２３の動作について説明する。
【００４１】
図４に示すフローチャートは、コンバータ１４ｃからの電力供給が開始されたタイミングで開始となり、シャットダウン処理はステップＳ２１の処理に進む。
【００４２】
ステップＳ２１の処理では、周辺装置制御部５４が、エンジン制御部４５からシステム終了処理の開始を指示するコマンドを受信したか否かを判定する。そして周辺装置制御部５４は、エンジン制御部４５からコマンドを受信したタイミングで、シャットダウン処理をステップＳ２２の処理に進める。
【００４３】
ステップＳ２２の処理では、周辺装置制御部５４が、周辺装置２３自体のシステム終了処理を実行する。周辺装置２３自体のシステム終了処理には、周辺装置２３が現在実行している動作（例えばADFスキャン動作等）を完了させる処理と、周辺装置２３内の各部の保護動作，システム・キャッシュの書き出し，制御プログラムによって開かれているファイルを閉じる等の基本的なシャットダウン処理が含まれる。これにより、ステップＳ２２の処理は完了し、シャットダウン処理はステップＳ２３の処理に進む。
【００４４】
ステップＳ２３の処理では、周辺装置制御部５４が、システム終了処理が完了したか否かを判定する。そして周辺装置制御部５４は、システム終了処理が完了したと判定したタイミングで、シャットダウン処理をステップＳ２４の処理に進める。
【００４５】
ステップＳ２４の処理では、周辺装置制御部５４が、周辺装置５４に電力を供給しているコンバータ１４ｃの出力をオフすることにより、周辺装置５４への電力供給を停止する。この段階でコンバータ１４ａ，１４ｂ，１４ｃの出力が全てオフ状態になるので、リレー回路１６は接点オープン状態となり、コントローラ装置２１，エンジン装置２２，及び周辺装置２３と電源１１間の接続が完全に遮断される。これにより、ステップＳ２４の処理は完了し、一連のシャットダウン処理は終了する。
【００４６】
〔具体例〕
図５に示すタイミングチャートを参照して、上記のシャットダウン処理の具体例を説明する。
【００４７】
いまコントローラ装置２１と周辺装置２３がスタンバイ状態にあり、エンジン装置２２が画像調整動作を実行している際に、電源スイッチ１３がオン状態からオフ状態に切り替えられたとする（図５に示す時刻Ｔ＝Ｔ１）。
【００４８】
この場合、電源スイッチ１３がオン状態からオフ状態に切り替えられると、コントローラ装置２１，エンジン装置２２，及び周辺装置２３はそれぞれシステム終了処理を並行して実行する。具体的には、コントローラ装置２１と周辺装置２３は、現在実行している動作がないので、図５（ｂ），（ｆ）に示すように、基本的なシャットダウン処理のみをシステム終了処理として実行する。一方、エンジン装置２３は、現在画像調整動作を実行しているので、図５（ｄ）に示すように、画像調整動作を続行して正常に終了させる処理と基本的なシャットダウン処理をシステム終了処理として実行する。
【００４９】
このため、図５（ｂ），（ｄ），（ｆ）の比較から明らかなように、エンジン装置２２のシステム終了処理が完了するまでに要する時間は、コントローラ装置２１と周辺装置２３のシステム終了処理が完了するまでに要する時間よりも長くなる。しかしながらこの画像形成装置１では、コントローラ装置２１のシステム終了処理が完了したタイミング（図５に示す時刻Ｔ＝Ｔ２）でコンバータ１４ａの出力がオフとなり（図５（ｃ）参照）、周辺装置２３のシステム終了処理が完了したタイミング（図５に示す時刻Ｔ＝Ｔ３）でコンバータ１４ｃの出力がオフとなる（図５（ｇ）参照）。
【００５０】
従って電源スイッチ１３がオフ状態に切り替えられてからコントローラ装置２１，エンジン装置２２，及び周辺装置２３と電源１１間の接続が完全に遮断されるまでの間の消費電力量（時刻Ｔ＝Ｔ１から時刻Ｔ＝Ｔ４までの消費電力量）は、エンジン装置２２がシステム終了処理を実行している間もコントローラ装置２１や周辺装置２３に電力が供給され続ける従来の画像形成装置の消費電力量と比較して、図５（ｋ）に示す斜線部の面積分だけ少なくなる。
【００５１】
なお上記動作例は、電源スイッチ１３がオフ状態に切り替えられた際、エンジン装置２２が自身の動作している場合のものであったが、例えば電源スイッチ１３がオフ状態に切り替えられた際、コントローラ装置２１や周辺装置２３も自身の動作を実行している時も同様に消費電力量を削減することができる。
【００５２】
具体的には、電源スイッチ１３がオフ状態に切り替えられた際に画像形成装置１が画像形成動作を実行している場合、コントローラ装置２１は、現在搬送路に搬送されている印刷用紙より搬送方向上流側にある印刷用紙が搬送路に供給されないようにする動作と基本的なシャットダウン処理をシステム終了処理として実行する。またエンジン装置２２は、コントローラ装置２１と連携して搬送路に搬送されている印刷用紙に対する画像形成動作及び排紙動作と基本的なシャットダウン処理をシステム終了処理として実行する。また周辺装置２３は、エンジン装置２２から排紙された印刷用紙に対する後処理動作と基本的なシャットダウン処理をシステム終了処理として実行する。そして各装置はそれぞれ、自身のシステム終了処理が終了した段階で対応するコンバータの出力をオフするので、全ての装置のシステム終了処理が全ての装置に電力が供給され続ける従来の画像形成装置の消費電力量と比較して、消費電力量を削減することができる。
【００５３】
従来までのシャットダウン機能を搭載した画像形成装置は、電源スイッチがオフされた際に実行している動作が完了した段階で電源と装置間の接続が遮断される構成になっている。このため従来の画像形成装置によれば、例えばエンジン装置が画像調整動作を実行しているタイミングで電源スイッチがオン状態からオフ状態に切り替えられた場合、画像調整動作が完了してから電源と装置間の接続が遮断される。従って、従来の画像形成装置によれば、画像調整動作が完了するまでの間、コントローラ装置や周辺装置等の画像調整動作に関係がない装置にも電力が供給され続ける。
【００５４】
同様に従来の画像形成装置では、例えば大容量の原稿・両面読み取り動作等のADFスキャン動作を実行しているタイミングで電源スイッチがオン状態からオフ状態に切り替えられた場合、ADFスキャン動作の実行が完了してから電源と装置間の接続が遮断される。従って、従来の画像形成装置によれば、ADFスキャン動作が完了するまでの間、定着部や作像部等のADFスキャン動作と関係がない装置にも電力が供給され続ける。
【００５５】
同様に従来の画像形成装置では、例えば外部からHDDに大量のデータを記憶しているタイミングで電源スイッチがオン状態からオフ状態に切り替えられた場合、HDDへのデータ記憶が完了してから電源と装置間の接続が遮断される。従って、従来の画像形成装置によれば、HDDへのデータ記憶が完了するまでの間、周辺装置やエンジン装置等のHDDへのデータ記憶動作に関係がない装置にも電力が供給され続ける。
【００５６】
つまり従来の画像形成装置によれば、電源スイッチがオフされた際に実行している動作が完了するまでの間、その動作に関係がない装置にも電力が供給され続けることにより、電力が無駄に消費されてしまう。
【００５７】
これに対して本発明の第１の実施形態となる画像形成装置１によれば、上述の通り、コントローラ装置２１，エンジン装置２２，及び周辺装置２３はそれぞれ、電源スイッチ１３がオフされた際、リレー回路１６及びコンバータ１４ａ，１４ｂ，１４ｃを介して供給される駆動電圧を利用してシステム終了処理を実行する。そしてコントローラ装置２１，エンジン装置２２，及び周辺装置２３はそれぞれ、自身のシステム終了処理の実行を完了したタイミングで対応するコンバータの出力をオフし、リレー回路１６は、コンバータ１４ａ，１４ｂ，１４ｃ全ての出力がオフされるのに応じて、各装置と電源１３間の接続を遮断する。
【００５８】
すなわち本発明の第１の実施形態となる画像形成装置１によれば、コントローラ装置２１，エンジン装置２２，及び周辺装置２３がそれぞれ分散して並列的にシステム終了処理を実行し、自身のシステム終了処理が完了したタイミングで自身への電力供給を自ら停止する。従って、本発明の第１の実施形態となる画像形成装置１によれば、電源スイッチ１３がオフされた際に実行している動作が完了するまでの間、その動作に関係がない装置にも電力が供給され続けることを抑制できるので、電力が無駄に消費されることを防止できる。
【００５９】
本実施形態では、システム終了処理及び電源制御処理をコントローラ装置２１，エンジン装置２２，及び周辺装置２３の３つに分散させて実行したが、システム終了処理及び電源制御処理の分散の仕方はどのような形態であっても構わない。また本実施形態では、リレー回路１６は、各装置のシステム終了処理が完了したタイミングで各装置と電源１１間の接続を遮断したが、各装置のシステム終了処理が完了したタイミングで各装置と電源１１間の接続を遮断できるのであれば、遮断装置及び遮断制御はどのような方式であっても構わない。
【００６０】
〔第２の実施形態〕
〔画像形成装置の構成〕
次に、図６を参照して、本発明の第２の実施形態となる画像形成装置の構成について説明する。
【００６１】
本発明の第２の実施形態となる画像形成装置６０は、図６に示すように、上記第１の実施形態となる画像形成装置１の構成に加えて、操作パネル付近等のユーザが視認可能な位置に設けられたLED(Light  Emitting  Diode)表示装置６１を備える。なおLED表示装置６１以外の構成要素は、上記画像形成装置１の構成要素と同じであるので、同様の符号を付すことにより以下ではLED表示装置６１の構成についてのみ説明する。なおLED表示装置６１は、本発明に係る表示手段及び発光手段として機能する。
【００６２】
LED表示装置６１は、抵抗素子６２ａを介してコンバータ１４ａの出力端子に接続されたLED素子６３ａと、抵抗素子６２ｂを介してコンバータ１４ｂの出力端子に接続されたLED素子６３ｂと、抵抗素子６２ｃを介してコンバータ１４ｃの出力端子に接続されたLED素子６３ｃとを備える。LED素子６３ａ，LED素子６３ｂ，及びLED素子６３ｃはそれぞれ、コンバータ１４ａ，１４ｂ，１４ｃの出力がオン状態である時に点灯状態となり、コンバータ１４ａ，１４ｂ，１４ｃの出力がオフ状態である時には消灯状態となる。
【００６３】
第１の実施形態において説明した通り、コンバータ１４ａ，１４ｂ，１４ｃの出力は、電源スイッチ１３がオフされた後、コントローラ装置２１，エンジン装置２２，及び周辺装置２３それぞれのシステム終了処理の完了に伴いオン状態からオフ状態になる。従って本発明の第２の実施形態となる画像形成装置６０によれば、コンバータ１４ａ，１４ｂ，１４ｃの出力のオン／オフに伴う各LED素子の点灯状態の変化を確認することにより、ユーザは各装置のシステム終了処理の実行状況や電源１１と装置間の接続状態を簡単に確認することができる。
【００６４】
本実施形態では、３つのコンバータの出力それぞれに対してLED素子を設けたが、３つのコンバータの出力が合流するダイオード素子の後段にLED素子を１つ設けるようにしてもよい。このような構成によれば、各装置のシステム終了処理の状況を確認することはできないが、１つのLED素子が点灯状態から消灯状態に切り替わったことを確認することにより、全ての装置のシステム終了処理が完了したか否かや電源１１と装置間の接続状態をより安価に確認できる。
【００６５】
以上の説明から明らかなように、本発明の第２の実施形態となる画像形成装置によれば、LED表示装置６１が各装置のシステム終了処理の実行状態に応じて点灯するので、ユーザは各装置のシステム終了処理の実行状態や電源１１と装置間の接続状態を簡単に確認することができる。
【００６６】
〔第３の実施形態〕
〔画像形成装置の構成〕
次に、図７を参照して、本発明の第３の実施形態となる画像形成装置の構成について説明する。
【００６７】
本発明の第３の実施形態となる画像形成装置７０は、図７に示すように、上記第１の実施形態となる画像形成装置１の構成に加えて、電気配線を介してコントローラ装置２１，エンジン装置２２，及び周辺装置２３に接続された操作表示部７１と、操作表示部７１に電力を供給するコンバータ１４ｄを備える。なお操作表示部７１及びコンバータ１４ｄ以外の構成要素は、上記画像形成装置１の構成要素と同じであるので、同様の符号を付すことにより以下では操作表示部７１とコンバータ１４ｄの構成についてのみ説明する。なお操作表示部７１は、本発明に係る表示手段及び操作表示手段として機能する。  
【００６８】
操作表示部７１は、液晶表示部７２，タッチパネル部７３，キー操作部７４，及び操作表示制御部７５を備える。液晶表示部７２は、画像形成装置７０に関する各種情報を表示出力する装置である。タッチパネル部７３は、液晶表示部７２に設けられ、液晶表示部７２の押下座標情報を操作表示制御部７５に出力する。キー操作部７４は、複数のキー操作子により構成され、押下操作されたキー操作子に対応する信号を操作表示制御部７５に出力する。操作表示制御部７５は、コントローラ装置３１と同様のASIC及びそのインタフェイス回路により構成されている。操作表示制御部７５は、タッチパネル部７３やキー操作部７４からの入力信号に従って、操作表示部６１全体の動作を制御する共に、コントローラ装置２１，エンジン装置２２，及び周辺装置２３に操作入力信号を出力する。コンバータ１４ｄは、整流平滑化回路１２から出力されたＤＣ電圧を操作表示部７１の駆動に適した電圧に変換して出力する。
【００６９】
この画像形成装置７０では、電源スイッチ１３がオン状態からオフ状態に切り替えられた際、コントローラ装置２１，エンジン装置２２，及び周辺装置２３はそれぞれシステム終了処理を実行し、操作表示制御部７５は各装置のシステム終了処理の実行状態（実行しているジョブ等）を液晶表示部７２に表示出力する。また何らかの異常が発生することによりシステム終了処理が正常に終了できない場合には、操作表示制御部７５はその情報をエラー情報として液晶表示部７２に表示出力する。
【００７０】
システム終了処理が正常に終了した場合には、各装置は、操作表示制御部７５に対してシステム終了処理が終了した旨を通知した後に、対応するコンバータの出力をオフする。操作表示制御部７５は、各装置からのシステム終了処理通知に応じて、システム終了処理が完了した旨を表示出力する。そして全ての装置のシステム終了処理が完了したタイミングで、リレー回路１６が接点オープン状態になることによりコンバータ１４ｄの出力がオフとなり、操作表示部６１を含む全ての装置と電源間の接続が遮断される。
【００７１】
以上の説明から明らかなように、本発明の第３の実施形態となる画像形成装置によれば、操作表示部６１が各装置のシステム終了処理の実行を表示するので、ユーザは各装置のシステム終了処理の実行状態や電源１１と装置間の接続状態を簡単に確認することができる。
【００７２】
〔第４の実施形態〕
〔画像形成装置の構成〕
次に、図８を参照して、本発明の第４の実施形態となる画像形成装置の構成について説明する。
【００７３】
本発明の第４の実施形態となる画像形成装置８０は、図８に示すように、上記第１の実施形態となる画像形成装置１の構成に加えて、電界効果トランジスタ(FET)素子８１を備える。なおFET素子８１以外の構成要素は、上記画像形成装置１の構成要素と同じであるので、同様の符号を付すことにより以下ではFET素子８１の構成についてのみ説明する。なおFET素子８１は、本発明に係るスイッチング手段として機能する。
【００７４】
FET素子８１のドレイン端子はダイオード１７ａ，１７ｂ，１７ｃを介して定電圧生成回路１５ａ，１５ｂ，１５ｃに接続されている。FET素子８１のソース端子はリレー回路１６の入力端子に接続されている。FET素子８１のゲート端子はダイオード素子８２を介して電源スイッチ１３のオン／オフ信号出力端子に接続されている。FET素子８１のドレイン端子とゲート端子間には抵抗素子８３が接続されている。このFET素子８１は、電源スイッチ１３がオン状態である時にオフ状態となり、定電圧生成回路１５ａ，１５ｂ，１５ｃとリレー回路１６間の接続を遮断する。一方、電源スイッチ１３がオフ状態である時には、FET素子８１はオン状態となり、定電圧生成回路１５ａ，１５ｂ，１５ｃとリレー回路１６が接続される。
【００７５】
このような構成によれば、電源スイッチ１３がオン状態である時は、定電圧生成回路１５ａ，１５ｂ，１５ｃからリレー回路１６に駆動電圧が供給されないため、リレー回路１６は接点オープン状態となり、コントローラ装置２１，エンジン装置２２，及び周辺装置２３には電力が供給されない。一方、電源スイッチ１３がオフ状態になり、コンバータ１４ａ，１４ｂ，１４ｃのうちの少なくとも１つの出力がオン状態である時には、定電圧生成回路１５ａ，１５ｂ，１５ｃからリレー回路１６に駆動電圧が供給されるので、リレー回路１６を介してコントローラ装置２１，エンジン装置２２，及び周辺装置２３に電力が供給される。
【００７６】
従って、本発明の第４の実施形態となる画像形成装置８０によれば、電源スイッチ１３がオフ状態となり、各装置のシステム終了処理が完了するまでの間のみ、リレー回路１６を介してコントローラ装置２１，エンジン装置２２，及び周辺装置２３に電力が供給されるので、第１の実施形態の画像形成装置１と比較して、リレー回路１６の駆動時間が短縮され、画像形成装置８０のスタンバイ時，動作時，及びオフスリープモード時等の場面における消費電力量を削減することができる。
【００７７】
本実施形態では、トランジスタ素子を利用してリレー回路１６への電力供給及びリレー回路１６の接点のオープン／クローズを制御しているが、電源スイッチ１３がオフ状態になってからシステム終了処理が完了するまでの間のみリレー回路１６の接点がクローズされる構成であれば、トランジスタ素子以外の構成であってもよい。
【００７８】
以上の説明から明らかなように、本発明の第４の実施形態となる画像形成装置によれば、FET素子８１が、電源スイッチ１３がオフ状態になってから各装置のシステム終了処理が完了するまでの間のみ、リレー回路１６を介してコントローラ装置２１，エンジン装置２２，及び周辺装置２３に電力が供給されるので、画像形成装置８０のスタンバイ時，動作時，及びオフスリープモード時等の場面における消費電力量を削減することができる。
【００７９】
〔第５の実施形態〕
最後に、図９乃至図１１を参照して、本発明の第５の実施形態となる画像形成装置におけるシャットダウン処理の流れについて説明する。なお本実施形態の画像形成装置の構成は、第１の実施形態となる画像形成装置１の構成と同じであるので、以下ではその説明を省略する。
【００８０】
以下、図９乃至図１１に示すフローチャートを参照して、シャットダウン処理を実行する際のコントローラ装置２１，エンジン装置２２，及び周辺装置２３の動作について説明する。なお図９，図１０，図１１はそれぞれ、シャットダウン処理を実行する際のコントローラ装置２１，エンジン装置２２，及び周辺装置２３の動作の流れを示すフローチャート図である。
【００８１】
〔シャットダウン処理〕
〔コントローラ装置の動作〕
始めに、図９に示すフローチャートを参照して、シャットダウン処理を実行する際のコントローラ装置２１の動作について説明する。
【００８２】
図９に示すフローチャートは、コンバータ１４ａからの電力供給が開始されたタイミングで開始となり、シャットダウン処理はステップＳ３１の処理に進む。
【００８３】
ステップＳ３１の処理では、コントローラ制御部３４が、電源スイッチ１３から出力されたオン／オフ信号に基づいて電源スイッチ１３がオン状態からオフ状態に切り替えられたか否かを判別する。そしてコントローラ制御部３４は、電源スイッチ１３がオン状態からオフ状態に切り替えられたと判定したタイミングで、シャットダウン処理をステップＳ３２の処理に進める。
【００８４】
ステップＳ３２の処理では、コントローラ制御部３４が、電気配線を介してエンジン装置２２に対しシステム終了処理の開始を指示するコマンドを送信する。これにより、ステップＳ３２の処理は完了し、シャットダウン処理はステップＳ３３の処理に進む。
【００８５】
ステップＳ３３の処理では、コントローラ制御部３４が、ユーザにより予め設定された情報に基づいてシステム終了処理を実行する必要性があるか否かを判定する。判定の結果、システム終了処理を実行する必要がないと判定された場合、コントローラ制御部３４は、シャットダウン処理をステップＳ３６の処理に進める。一方、システム終了処理を実行する必要があると判定された場合には、コントローラ制御部３４は、シャットダウン処理をステップＳ３４の処理に進める。
【００８６】
ステップＳ３４の処理では、コントローラ制御部３４が、コントローラ装置２１自体のシステム終了処理を実行する。これにより、ステップＳ３４の処理は完了し、シャットダウン処理はステップＳ３５の処理に進む。
【００８７】
ステップＳ３５の処理では、コントローラ制御部３４が、システム終了処理が完了したか否かを判定する。そしてコントローラ制御部３４は、システム終了処理が完了したと判定したタイミングでシャットダウン処理をステップＳ３６の処理に進める。
【００８８】
ステップＳ３６の処理では、コントローラ制御部３４が、コントローラ装置２１に電力を供給しているコンバータ１４ａの動作を停止させることにより、コントローラ装置２１への電力供給を停止する。これにより、ステップＳ３６の処理は完了し、一連のシャットダウン処理は終了する。
【００８９】
〔エンジン装置の動作〕
次に、図１０に示すフローチャートを参照して、シャットダウン処理を実行する際のエンジン装置２２の動作について説明する。
【００９０】
図１０に示すフローチャートは、コンバータ１４ｂからの電力供給が開始されたタイミングで開始となり、シャットダウン処理はステップＳ４１の処理に進む。
【００９１】
ステップＳ４１の処理では、エンジン制御部４５が、コントローラ制御部３４からシステム終了処理の開始を指示するコマンドを受信したか否かを判定する。そしてエンジン制御部４５は、コントローラ制御部３４からコマンドを受信したタイミングで、シャットダウン処理をステップＳ４２の処理に進める。
【００９２】
ステップＳ４２の処理では、エンジン制御部４５が、電気配線を介して周辺装置２３に対しシステム終了処理の開始を指示するコマンドを送信する。これにより、ステップＳ４２の処理は完了し、シャットダウン処理はステップＳ４３の処理に進む。
【００９３】
ステップＳ４３の処理では、エンジン制御部４５が、ユーザにより予め設定された情報に基づいてシステム終了処理を実行する必要性があるか否かを判定する。判定の結果、システム終了処理を実行する必要がないと判定された場合、エンジン制御部４５は、シャットダウン処理をステップＳ４６の処理に進める。一方、システム終了処理を実行する必要があると判定された場合には、エンジン制御部４５は、シャットダウン処理をステップＳ４４の処理に進める。
【００９４】
ステップＳ４４の処理では、エンジン制御部４５が、エンジン装置２２自体のシステム終了処理を実行する。これにより、ステップＳ４４の処理は完了し、シャットダウン処理はステップＳ４５の処理に進む。
【００９５】
ステップＳ４５の処理では、エンジン制御部４５が、システム終了処理が完了したか否かを判定する。そしてエンジン制御部４５は、システム終了処理が完了したと判定したタイミングでシャットダウン処理をステップＳ４６の処理に進める。
【００９６】
ステップＳ４６の処理では、エンジン制御部４５が、エンジン装置２２に電力を供給しているコンバータ１４ｂの動作を停止させることにより、エンジン装置２２への電力供給を停止する。これにより、ステップＳ４６の処理は完了し、一連のシャットダウン処理は終了する。
【００９７】
〔周辺装置の動作〕
最後に、図１１に示すフローチャートを参照して、シャットダウン処理を実行する際の周辺装置２３の動作について説明する。
【００９８】
図１１に示すフローチャートは、コンバータ１４ｃからの電力供給が開始されたタイミングで開始となり、シャットダウン処理はステップＳ５１の処理に進む。
【００９９】
ステップＳ５１の処理では、周辺装置制御部５４が、エンジン制御部４５からシステム終了処理の開始を指示するコマンドを受信したか否かを判定する。そして周辺装置制御部５４は、エンジン制御部４５からコマンドを受信したタイミングでシャットダウン処理をステップＳ５２の処理に進める。
【０１００】
ステップＳ５２の処理では、周辺装置制御部５４が、ユーザにより予め設定された情報に基づいてシステム終了処理を実行する必要性があるか否かを判定する。判定の結果、システム終了処理を実行する必要がないと判定された場合、周辺装置制御部５４は、シャットダウン処理をステップＳ５５の処理に進める。一方、システム終了処理を実行する必要があると判定された場合には、周辺装置制御部５４は、シャットダウン処理をステップＳ５３の処理に進める。
【０１０１】
ステップＳ５３の処理では、周辺装置制御部５４が、周辺装置２３自体のシステム終了処理を実行する。これにより、ステップＳ５３の処理は完了し、シャットダウン処理はステップＳ５４の処理に進む。
【０１０２】
ステップＳ５４の処理では、周辺装置制御部５４が、システム終了処理が完了したか否かを判定する。そして周辺装置制御部５４は、システム終了処理が完了したと判定したタイミングで、シャットダウン処理をステップＳ５５の処理に進める。
【０１０３】
ステップＳ５５の処理では、周辺装置制御部５４が、周辺装置５４に電力を供給しているコンバータ１４ｃの動作を停止させることにより、周辺装置５４への電力供給を停止する。この段階でコンバータ１４ａ，１４ｂ，１４ｃの出力が全てオフ状態になるので、リレー回路１６は接点オープン状態となり、コントローラ装置２１，エンジン装置２２，及び周辺装置２３と電源１１間の接続が遮断される。これにより、ステップＳ５５の処理は完了し、一連のシャットダウン処理は終了する。
【０１０４】
〔具体例〕
図１２に示すタイミングチャートを参照して、上記のシャットダウン処理の具体例を説明する。
【０１０５】
いまコントローラ装置２１と周辺装置２３がスタンバイ状態にあり、エンジン装置２２が画像調整動作を実行している際に、電源スイッチ１３がオン状態からオフ状態に切り替えられたとする（図１２に示す時刻Ｔ＝Ｔ１）。
【０１０６】
この場合、電源スイッチ１３がオン状態からオフ状態に切り替えられると、コントローラ装置２１，エンジン装置２２，及び周辺装置２３はそれぞれシステム終了処理を並行して実行する。具体的には、コントローラ装置２１，エンジン装置２２，及び周辺装置２３は、システム終了処理を実行する必要があるか否かを判定する。そしてこの場合、コントローラ装置２１と周辺装置２３は、システム終了処理を実行する必要があると判定し、図５（ｂ），（ｆ）に示すように、基本的なシャットダウン処理のみをシステム終了処理として実行する。一方、エンジン装置２２は、予め設定された情報に基づいてシステム終了処理を実行する必要性がないと判定し、図５（ｄ），（ｅ）に示すように、コンバータ１４ｂの出力を直ちにオフする。
【０１０７】
このため、この画像形成装置では、コントローラ装置２１と周辺装置２３のシステム終了処理が完了したタイミング（図１２に示す時刻Ｔ＝Ｔ３）で各装置と電源１３間の接続が遮断され、図５に示す具体例と比較して、消費電力量をさらに低減することができる。なおユーザは、システム終了処理に含まれるジョブ毎に実行の要／不要を設定するようにしてもよい。このような設定によれば、消費電力量を低減しつつ安全にシステムを終了させることができる。
【０１０８】
以上の説明から明らかなように、本発明の第５の実施形態となる画像形成装置によれば、システム終了処理の実行の要否を装置毎に設定できるので、消費電力量をより削減しつつシャットダウン処理に要する時間を短縮することができる。
【０１０９】
以上、本発明者によってなされた発明を適用した実施の形態について説明したが、この実施の形態による本発明の開示の一部をなす記述及び図面により本発明は限定されることはない。すなわち上記実施の形態に基づいて当業者等によりなされる他の実施の形態、実施例及び運用技術等は全て本発明の範疇に含まれる。
【符号の説明】
【０１１０】
１  画像形成装置
２  電力制御系
３  本体制御系
４  第１の電力供給経路
５  第２の電力供給経路
１１  電源
１２  整流平滑化回路
１３  電源スイッチ
１４ａ，１４ｂ，１４ｃ，１４ｄ  コンバータ
１５ａ，１５ｂ，１５ｃ，１５ｄ  定電圧生成回路
１６  リレー回路
１７ａ，１７ｂ，１７ｃ  ダイオード
２１  コントローラ装置
２２  エンジン装置
２３  周辺装置
３１  HDD(Hard  Disk  Drive)
３２  LAN＿I/F(Local  Area  Network＿Interface)
３３  省エネ監視部
３４  コントローラ制御部
４１  スキャナ部
４２  書込部
４３  トナー作像部
４４  定着部
４５  エンジン制御部
５１  ADF(Auto  Document  Feeder)部
５２  FIN部
５３  LCT(Large  Capacity  Tray)部
５４  周辺装置制御部
【先行技術文献】
【特許文献】
【０１１１】
【特許文献１】特開２００４−２７６５８８号公報
【図１】
2011053667.tif 000003
【図２】
2011053667.tif 000004
【図３】
2011053667.tif 000005
【図４】
2011053667.tif 000006
【図５】
2011053667.tif 000007
【図６】
2011053667.tif 000008
【図７】
2011053667.tif 000009
【図８】
2011053667.tif 000010
【図９】
2011053667.tif 000011
【図１０】
2011053667.tif 000012
【図１１】
2011053667.tif 000013
【図１２】
2011053667.tif 000014